(57)【要約】      （修正有）【課題】挿入が容易であるとともに弦楽器の音特性を向上させる、特に弦楽器のための可変長の魂柱を提供する。【解決手段】魂柱１は、第１の端部及び第２の端部を有する第１の管状部品２と、第１の端部及び第２の端部を有する第２の管状部品３とから成り、第２の管状部品は、少なくとも一部が第１の管状部品内に移動可能な態様で配置され、また、第１の回動可能なエンドピース５が第１の管状部品の第１の端部に配置される。また、魂柱は、対向要素８、及び、回転可能に配置されるとともに対向要素に対して回転により対向されるのに適した張力締め付け要素７ａも備える。また、第２の回動可能なエンドピース６は第２の管状部品の第２の端部に配置される。魂柱を楽器内に装着するための魂柱用具セットも開示される。【選択図】図１
0003210571.tif 000002
【実用新案登録請求の範囲】
【請求項１】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、
第１の回動可能なエンドピース（５）が前記第１の管状部品（２）の前記第１の端部に配置され、前記第１の管状部品（２）の前記第２の端部が対向要素（８）としての機能を果たし、
前記第２の管状部品（３）の前記第１の端部は、張力締め付け要素（７ａ）が回転可能に配置されるとともに前記対向要素（８）に対して回転により対向されるのに適した外側ねじ山を備え、第２の回動可能なエンドピース（６）が前記第２の管状部品（３）の前記第２の端部に配置され、
前記第１の回動可能なエンドピース（５）及び前記第２の回動可能なエンドピース（６）は、少なくとも一部が磁化できる材料から又は磁石として形成される、
可変長の魂柱（１）。
【請求項２】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、
第１の回動可能なエンドピース（５）が前記第１の管状部品（２）の前記第１の端部に配置され、前記第１の管状部品（２）の前記第２の端部は、張力締め付け要素（７ａ）が回転可能に配置される外側ねじ山を備え、
第２の回動可能なエンドピース（６）を伴う対向要素（８）が前記第２の管状部品（３）の前記第２の端部に配置され、
前記第１の回動可能なエンドピース（５）及び前記第２の回動可能なエンドピース（６）は、少なくとも一部が磁化できる材料から又は磁石として形成される、
可変長の魂柱（１）。
【請求項３】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、前記第２の管状部品（３）の前記第１の端部に結合される弾性部材（４）が前記第１の管状部品（２）内に配置され、
第１の回動可能なエンドピース（５）が前記第１の管状部品（２）の前記第１の端部に配置され、前記第１の管状部品（２）の前記第２の端部が対向要素（８）としての機能を果たし、
前記第２の管状部品（３）の前記第１の端部は、張力締め付け要素（７ａ）が回転可能に配置されるとともに前記対向要素（８）に対して回転により対向されるのに適した外側ねじ山を備え、第２の回動可能なエンドピース（６）が前記第２の管状部品（３）の前記第２の端部に配置される、
可変長の魂柱（１）。
【請求項４】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、前記第２の管状部品（３）の前記第１の端部に結合される弾性部材（４）が前記第１の管状部品（２）内に配置され、
第１の回動可能なエンドピース（５）が前記第１の管状部品（２）の前記第１の端部に配置され、前記第１の管状部品（２）の前記第２の端部は、張力締め付け要素（７ａ）が回転可能に配置される外側ねじ山を備え、
第２の回動可能なエンドピース（６）を伴う対向要素（８）が前記第２の管状部品（３）の前記第２の端部に配置される、
可変長の魂柱（１）。
【請求項５】
前記第１の管状部品（２）がその外側に静止部材（７ｂ）を備える請求項２又は請求項４に記載の魂柱（１）。
【請求項６】
前記第２の管状部品（３）がその前記第２の端部に静止部材（７ｂ）を備える請求項１又は請求項３に記載の魂柱（１）。
【請求項７】
前記第２の管状部品（３）の前記第１の端部に結合される弾性部材（４）が前記第１の管状部品（２）内に配置される請求項１，２，５又は６に記載の魂柱（１）。
【請求項８】
前記第１及び第２の管状部品（２，３）並びに前記第１及び第２の回動可能なエンドピース（５，６）のうちの１つ以上が木材から形成される請求項１から７のいずれか一項に記載の魂柱（１）。
【請求項９】
前記第１及び第２の管状部品（２，３）並びに前記第１及び第２の回動可能なエンドピース（５，６）のうちの１つ以上がプラスチックから形成される請求項１から７のいずれか一項に記載の魂柱（１）。
【請求項１０】
前記第１及び第２の管状部品（２，３）並びに前記第１及び第２の回動可能なエンドピース（５，６）のうちの１つ以上が繊維強化プラスチック、好ましくは炭素繊維強化プラスチックから形成される請求項１から７のいずれか一項に記載の魂柱（１）。
【請求項１１】
前記第１の回動可能なエンドピース（５）及び前記第２の回動可能なエンドピース（６）には少なくとも部分的に磁性材料がコーティングされる請求項１から１０のいずれか一項に記載の魂柱（１）。
【請求項１２】
前記第２の管状部品（３）は、前記第２の回動可能なエンドピース（６）と前記第２の管状部品の前記第１の端部との間に前記管状部品（３）の長手方向軸に対して横切るように配置される連続孔（１０）を備えることができる請求項１から１１のいずれか一項に記載の魂柱（１）。
【請求項１３】
前記弾性部材（４）は、スプリング及び／又は発泡材料であり、且つ／又は、２つの反発し合う磁石から成る請求項３，４又は７に記載の魂柱（１）。
【請求項１４】
前記張力締め付け要素（７ａ）及び前記静止部材（７ｂ）のうちの少なくとも一方が金属又はプラスチックから成る請求項５又は６に記載の魂柱（１）。
【請求項１５】
前記張力締め付け要素（７ａ）及び前記静止部材（７ｂ）のうちの少なくとも一方が多角形断面を有する請求項５又は６に記載の魂柱（１）。
【請求項１６】
前記第１の管状部品（２）及び前記第２の管状部品（３）が略円筒状である請求項１から１５のいずれか一項に記載の魂柱（１）。
【請求項１７】
前記第１及び第２の回動可能なエンドピース（５，６）のそれぞれが部分的球状部（５ａ，６ａ）と平坦端面（５ｂ，６ｂ）とを備え、前記第１の管状部品（２）は前記第１の端部に、前記第２の管状部品（３）は前記第２の端部にそれぞれ部分的球状凹部を備え、該部分的球状凹部内にそれぞれの前記部分的球状部（５ａ，６ａ）が受けられる請求項１から１６のいずれか一項に記載の魂柱（１）。
【請求項１８】
可変長の魂柱（１）を弦楽器のトッププレートとバックプレートとの間に装着するための魂柱用具セットであって、
請求項１から１７のいずれか一項に記載の魂柱（１）と、
フォーク状部（１２）、シャフト（１３）、及び、保持部（１４）を備える少なくとも１つの調整具（１１）であって、前記シャフト（１３）が、弓形状であるとともに、弦楽器の所定のｆホールと前記魂柱（１）のために予め決定された弦楽器バックプレートにおける位置との間の距離の長さに少なくとも対応する長さを有する、少なくとも１つの調整具（１１）と、
を備える魂柱用具セット。
【請求項１９】
魂柱（１）を直立にセットする及び／又は位置決めするために、弦楽器の前記バックプレート及び前記トッププレートそれぞれに沿って外側からそれぞれ移動されるのに適した２つの磁石を更に備える請求項１８に記載の魂柱用具セット。
【請求項２０】
弦楽器内で又は弦楽器外で請求項１８又は請求項１９に記載の魂柱用具セットを用いて請求項３，４，７又は１３のいずれか一項に記載の魂柱（１）を装着するための方法において、
魂柱（１）を用意するステップであって、前記魂柱は、該魂柱（１）の長さが弛緩状態で弦楽器のバックプレートとトッププレートとの間の距離よりも大きく且つ力が両方のエンドピース（５，６）に対して及ぼされる圧縮状態で弦楽器のバックプレートとトッププレートとの間の距離よりも小さいように選択される所定の長さを有する、ステップと、
前記魂柱（１）を弛緩状態で弦楽器のｆホールに挿通するステップと、
弦楽器のバックプレートとトッププレートとの間に所定の角度で前記魂柱を楔留めして弾性部材（４）を圧縮することによって弦楽器内の所定の位置に前記魂柱（１）を取り付けるとともに、前記魂柱（１）を弦楽器のバックプレートとトッププレートとの間に垂直に位置決めするステップと、
調整具（１１）をｆホール内に挿入するとともに、前記調整具（１１）を用いて張力締め付け要素（７ａ）を対向要素（８）に対して回転させることによって前記魂柱（１）の長さを固定するステップと、
を備える方法。
【請求項２１】
弦楽器内で又は弦楽器外で請求項１９に記載の魂柱用具セットを用いて請求項１，２，７から１２又は１４から１７のいずれか一項に記載の魂柱（１）を装着するための方法において、
魂柱（１）を用意するステップであって、前記魂柱は、該魂柱（１）の第１の管状部品（２）及び第２の管状部品（３）の全長が伸長状態で弦楽器のバックプレートとトッププレートとの間の距離よりも大きいように選択される所定の長さを有する、ステップと、
前記魂柱（１）を弦楽器のｆホールに挿通するステップと、
前記魂柱（１）を引き込み状態で直立にセットするとともに、前記魂柱用具セットの磁石のうちの１つを弦楽器のバックプレート及びトッププレートに沿って外側から貼り付けて移動させることによって弦楽器内の所定の位置に前記魂柱を仮取り付けするステップと、
仮位置決めされた魂柱が引き込み状態で重力に起因して弦楽器のバックプレートとトッププレートとの間で伸長されるように楽器を回転させるステップと、
第１の磁石の反対側で、伸長された前記魂柱の位置に合わせて、弦楽器のバックプレート上又はトッププレート上に外側から前記魂柱用具セットの第２の磁石を貼り付けるステップと、
弦楽器のバックプレート及びトッププレートに沿って外側から前記魂柱用具セットの両方の前記磁石を移動させることによって、伸長された前記魂柱を最終的に位置決めするステップと、
調整具（１１）をｆホール内に挿入するとともに、前記調整具（１１）を用いて張力締め付け要素（７ａ）を対向要素（８）に対して回転させることによって前記魂柱（１）の長さを固定するステップと、
を備える方法。
【考案の詳細な説明】
【技術分野】
【０００１】
本発明は、可変長の魂柱、魂柱用具セット、及び、可変長の魂柱を特に弦楽器内に装着するための方法に関する。
【背景技術】
【０００２】
一部の楽器において、特に弦楽器では、主としてブリッジの脚よりも下側の領域で、トッププレートとバックプレートとの間に魂柱が装着されることが知られている。伝統的に、これは、その両端の長さ及び形状が楽器のトッププレート及びバックプレートの内面に適合されて、それにより、楽器の安定性及び音特性を向上させる木製円柱である。弦楽器の無傷の状態では、いわゆるｆホールを通じてのみ弦楽器の内側空間に近づくことができるため、正確に形成された端部を伴う完全に適した長さの木製円柱を製造すること、及び、その木製円柱を楽器内に置いて楽器の内側の正しい位置にそれをセットすることが非常に困難であり費用がかかる。したがって、弦楽器用の魂柱を装着することが複数の試み及び調整と関連付けられ、それにより、例えば、夏から冬への移行などにより引き起こされる気候状態、気温、及び／又は、空気湿度の変化に起因して必要とされる調整を多大な労力によってしか達成し得ない。しかしながら、魂柱が誤った長さを有する場合、或いは、温度又は空気湿度の変動に起因して弓形が変化する場合には、これが楽器の音及び安定性に悪影響を及ぼし得る。
【０００３】
したがって、従来技術は、可変長の魂柱を開示する。例えば、ドイツ特許第１０２０１４００９３３６号は一般に２部品の魂柱を開示し、これらの両方の部品は互いに螺合でき、それにより、魂柱の長さを調整できる。
【０００４】
また、米国特許公開第５２０８４０８号明細書も、例えば図８において、一般に２つの構成要素から成る可変長の魂柱を示し、２つの構成要素は、魂柱の長さを変化可能に調整できるように互いに螺合され得る。
【０００５】
先に言及された両方の引用文献によれば、２つの構成要素を互いに螺合させることによって魂柱の長さを調整できる一方で、米国特許公開第２１４５２３７号明細書は、一般に２部品の魂柱であって、例えば温度及び空気湿度の変動により引き起こされるトッププレートとバックプレートとの間の距離の変化に対して魂柱の長さを両方の構成要素のバネ荷重支持によって適合させることができる、魂柱を提案する。
【０００６】
米国特許公開第５２０８４０８号明細書及びドイツ特許第１０２０１４００９３３６号明細書に係る両方の変形において、問題は、魂柱を弦楽器内へ挿入できるように魂柱の長さがトッププレートとバックプレートとの間の距離よりも短いように少なくとも大雑把に事前調整されなければならないことである。時としてこの事前調整に起因して魂柱は短すぎるため、両方のｆホールだけを通じた接近性の悪さに起因して困難をもたらす楽器内への魂柱の挿入時に魂柱が容易に倒れる可能性がある。或いは、魂柱の長さは、魂柱をトッププレートとバックプレートとの間に楔留めするためにトッププレートとバックプレートとの間の距離よりも大きくなるように調整される。したがって、音質にとって極めて重要な張力の感触が失われる。それに反して、米国特許公開第２１４５２３７号明細書に係るバネ荷重支持を有する魂柱の不都合は、楽器内の魂柱の長さを固定できず、したがって、一貫性のある音特性及び安定性を確保できないことである。
【先行技術文献】
【特許文献】
【０００７】
【特許文献１】ドイツ特許第１０２０１４００９３３６号明細書
【特許文献２】米国特許公開第５２０８４０８号明細書
【特許文献３】米国特許公開第２１４５２３７号明細書
【考案の概要】
【考案が解決しようとする課題】
【０００８】
従来技術を考慮して、本発明の目的は、挿入が容易であるとともに弦楽器の音特性を向上させる、特に弦楽器のための可変長の魂柱を提供することである。
【課題を解決するための手段】
【０００９】
この目的は、例えば請求項１から４のいずれか１つの特徴を有する魂柱によって達成され得る。
【００１０】
また、本発明の目的は、楽器内の魂柱の装着を容易にすることである。この目的は、例えば請求項１８又は請求項１９の特徴を有する弦楽器のトッププレートとバックプレートとの間に魂柱を取り付けるための魂柱用具セットによって達成され得る。
【００１１】
本発明の他の目的は、可変長の魂柱の容易な装着のための方法を提供することである。この目的は、例えば請求項１から４のいずれか１つの特徴を有する魂柱を装着するための方法を使用して達成される。
【００１２】
本発明に係る魂柱、魂柱用具セット、及び、方法の更なる改良及び好ましい実施形態が例えば従属請求項に開示される。
【００１３】
特に弦楽器のための可変長の魂柱の１つの実施形態は、第１の端部及び第２の端部を有する第１の管状部品と、第１の端部及び第２の端部を有する第２の管状部品とから成り、第２の管状部品は、少なくとも一部が第１の管状部品内に移動可能に配置され、第１の回動可能なエンドピースが第１の管状部品の第１の端部に配置され、また、第１の管状部品の第２の端部が対向要素としての機能を果たし、また、第２の管状部品の第１の端部は、張力締め付け要素が対向要素に対して回転により対向されるように回転可能に配置される外側ねじ山を有し、また、第２の回動可能なエンドピースが第２の管状部品の第２の端部に配置され、第１の回動可能なエンドピース及び第２の回動可能なエンドピースは、少なくとも一部が磁化できる材料から又は磁石として形成される。
【００１４】
特に弦楽器のための可変長の魂柱の更なる実施形態は、第１の端部及び第２の端部を有する第１の管状部品と、第１の端部及び第２の端部を有する第２の管状部品とから成り、第２の管状部品は、少なくとも一部が第１の管状部品内に移動可能に配置され、第１の回動可能なエンドピースが第１の管状部品（２）の第１の端部に配置され、また、第１の管状部品の第２の端部は、張力締め付け要素が回転可能に配置される外側ねじ山を有し、第２の回動可能なエンドピースを伴う対向要素が第２の管状部品の第２の端部に配置され、また、第１の回動可能なエンドピース及び第２の回動可能なエンドピースは、少なくとも一部が磁化できる材料から又は磁石として形成される。
【００１５】
特に弦楽器のための可変長の魂柱の更なる実施形態は、第１の端部及び第２の端部を有する第１の管状部品と、第１の端部及び第２の端部を有する第２の管状部品とから成り、第２の管状部品は、少なくとも一部が第１の管状部品内に移動可能に配置され、また、第２の管状部品の第１の端部に結合される弾性部材が第１の管状部品内に配置され、この場合、第１の回動可能なエンドピースが第１の管状部品の第１の端部に配置され、また、第１の管状部品の第２の端部が対向要素としての機能を果たし、第２の管状部品の第１の端部は、張力締め付け要素が対向要素に対して回転により対向されるように回転可能に配置される外側ねじ山を有し、第２の回動可能なエンドピースが第２の管状部品の第２の端部に配置される。
【００１６】
特に弦楽器のための可変長の魂柱の更なる実施形態は、第１の端部及び第２の端部を有する第１の管状部品と、第１の端部及び第２の端部を有する第２の管状部品とから成り、第２の管状部品は、少なくとも一部が第１の管状部品内に移動可能に配置され、また、第２の管状部品の第１の端部に結合される弾性部材が第１の管状部品内に配置され、この場合、第１の回動可能なエンドピースが第１の管状部品の第１の端部に配置され、また、第１の管状部品の第２の端部は、張力締め付け要素が回転可能に配置される外側ねじ山を有し、第２の回動可能なエンドピースを伴う対向要素が第２の管状部品の第２の端部に配置される。
【００１７】
本発明に係る魂柱は、振動がトッププレートからバックプレートへ伝えられる任意のタイプの楽器内で使用され得る。そのような楽器の例は、バイオリン、ヴィオラ、チェロ、コントラバスなどの弦楽器であるが、ギター又は他のタイプの撥弦楽器、例えばツィター又は更にはハンマーダルシマーもある。本発明に係る魂柱が可変長を有するとともに、魂柱における両方の構成要素を装着のために互いに押し込むことができるという事実に起因して、また、魂柱が楽器内のトッププレート及びバックプレートに対してその部材の両方の弾性接続によって或いは更には楽器の外側に配置されるが依然として容易に移動させることができる磁石によって隣接するという事実に起因して、魂柱の装着は従来技術と比べてかなり容易である。本発明に係る魂柱をその取り付け状態で張力締め付け要素を用いてその長さ内で対向要素に対して回転することにより固定できるという事実に起因して、一貫性のある音質及び安定性を確保できる。対向要素に対して張力締め付け要素を対向させることにより、楽器内の魂柱の最終的な高さを確実に且つ正確に調整して、音質及び安定性の両方をかなり向上させることができる。例えばバイオリンにおけるよりも大きな魂柱がコントラバスにおいて使用されるため、本発明に係る魂柱の寸法は、対応する楽器でのその使用に対して対応して適合されなければならない。
【００１８】
更なる実施形態によれば、対向要素に抗して張力締め付け要素をねじ込むときに第１又は第２の管状部品をねじることを回避するため、本発明に係る魂柱は静止部材を備える。
【００１９】
更なる実施形態によれば、第１の回動可能なエンドピース及び第２の回動可能なエンドピースが少なくとも部分的に磁化できる材料から又は磁石として形成される本発明に係る魂柱の実施形態においてさえ、第２の管状部品の第１の端部に結合される弾性部材を第１の管状部品内に配置することができる。したがって、これらの実施形態であっても、例えば、魂柱を装着するときに魂柱が倒れることを防止できる。
【００２０】
更なる実施形態によれば、本発明に係る魂柱における第１及び第２の管状部品並びに回動可能なエンドピースのうちの１つ以上が木材から形成され得る。
【００２１】
更なる有利な実施形態によれば、本発明に係る魂柱における第１及び第２の管状部品並びに回動可能なエンドピースのうちの１つ以上がプラスチックから形成され得る。
【００２２】
更なる実施形態によれば、本発明に係る魂柱における第１及び第２の管状部品並びに回動可能なエンドピースのうちの１つ以上が繊維強化プラスチック、好ましくは炭素繊維強化プラスチックから形成され得る。
【００２３】
更なる実施形態によれば、本発明に係る魂柱における第１の回動可能なエンドピース及び第２の回動可能なエンドピースの少なくとも一部を磁性材料でコーティングすることができる。したがって、低密度の非磁性材料、例えばプラスチック又は木材の場合でさえ、例えば魂柱の細かい位置決めを容易にするために、磁石との相互作用を達成できる。
【００２４】
更なる実施形態によれば、本発明に係る魂柱における第２のエンドピースと第２の管状部品の第１の端部との間にある第２の管状部品は、管状部品の長手方向軸に対して横切るように配置される連続孔を備える。この孔は、例えば、前記孔を通じて引き込まれる糸を用いた魂柱の挿入を容易にする役目を果たすことができ、この糸は、弦楽器の両方のｆホールを通じても引き込まれる。また、貫通孔は、―特別な挿入具、例えば対応する太さを有するワイヤを用いて―対向要素に対して張力締め付け要素をねじるときに第２の管状部品の回転を回避するために使用され得る。
【００２５】
更なる実施形態によれば、第１及び第２のエンドピースの両方を磁性材料から形成することができる。好適には、例えば、弦楽器の内側に取り付けられる魂柱は、楽器のトッププレート又はバックプレートに沿って外部から移動される磁石を用いて特に容易に変位され及び／又は直立にセットされ得る。一方、楽器内の魂柱の正確な位置を例えば平坦な磁気検出器を用いて外側から検出することもできる。そのような表面検出器の一例は、磁石の位置を示すために特別なハニカム内に配置される磁鉄粉を利用する、例えばいわゆる「マジックボード」で使用されるような箔であってもよい。
【００２６】
本発明に係る魂柱の更なる実施形態によれば、弾性部材は、第１及び第２の管状部品がショックアブソーバとして作用するようにスプリング又は空気圧スプリングであってもよく、或いは、弾性部材をゴム、天然ゴム、及び／又は、発泡材料から形成することができる。発泡材料が例えば発泡体であってもよい。また、弾性部材は、２つの反発し合う磁石又は既に言及された実施オプションの組み合わせから成ることもできる。
【００２７】
本発明に係る魂柱の更なる実施形態によれば、張力締め付け要素及び静止部材のうちの少なくとも一方を金属又はプラスチックから形成することができる。
【００２８】
本発明に係る魂柱の更なる実施形態によれば、張力締め付け要素及び静止部材のうちの少なくとも一方は、例えば対応する器具を用いた回転プロセスを容易にするために、多角形断面、好ましくは八角形断面を有することができる。
【００２９】
本発明に係る魂柱の更なる実施形態によれば、第１の管状部品及び第２の管状部品が略円筒状である。それは、第１及び第２の管状部品の断面が略円形であることを意味する。しかしながら、本発明は、第１及び第２の管状部品の円形断面に限定されない。断面は、多角形、例えば正方形、長方形、或いは更には、楕円であってもよい。
【００３０】
本発明に係る魂柱の更なる実施形態によれば、エンドピースのそれぞれが部分的球状部と平坦端面とを備え、それにより、第１の管状部品は第１の端部に第２の管状部品は第２の端部にそれぞれ部分的球状凹部を有し、第１の管状部品及び第２の管状部品は対応するエンドピースのそれぞれの部分的球状部を受けることができる。エンドピース及び管状部品の対応する凹部のこの実施により、楽器のトッププレート及びバックプレートの必ずしも平行な平面でない内面に対してエンドピースを完全に取り付けることができるようにされる。好適には、平坦端面は、トッププレート及びバックプレートの内面上での木材の滑りを防止するために僅かに粗面化され得る。例えば、胡粉はかなりの摩擦を与えることができる。エンドピースの部分的球状部は、好適には、管状部品の部分的球状凹部に非常に容易に嵌まり込むため、スプリング圧は、それらが弓形に適合するのに十分である。部分的球状部及び部分的球状凹部における粗面化された表面及び／又は部分的球状凹部内のゴム粉末は、対向要素が回転されるときに構造の残りの部分の回転を防止する。
【００３１】
また、本発明は、可変長の魂柱を弦楽器のトッププレートとバックプレートとの間に装着するための魂柱用具セットを備え、該魂柱用具セットは、魂柱と、フォーク状部、シャフト、及び、保持部を備える少なくとも１つの調整具とを有し、シャフトは弓形状であり、また、シャフトの長さは、弦楽器の所定のｆホールと魂柱のために予め決定された弦楽器バックプレートにおける位置との間の距離の長さに少なくとも対応する。多角形断面を有する張力締め付け要素の場合、用具セットのフォーク部は、張力締め付け要素を完全に取り囲んで張力締め付け要素を回転させることができるように対応する断面を有する。用具を弦楽器のｆホールに挿通する際には空間が限られるため、小さい回転角度も実施できるように可能な限り多くの角部を有する多角形断面を与えることが有益である。
【００３２】
更なる実施形態によれば、魂柱用具セットは、魂柱を直立にセットする及び／又は位置決めするために、弦楽器のバックプレート及びトッププレートそれぞれに沿って外側からそれぞれ移動されるのに適した２つの磁石を更に備える。
【００３３】
また、本発明は、魂柱用具セットを用いて魂柱を装着するための方法を備え、該方法は、以下のステップ、すなわち、
魂柱を用意するステップであって、前記魂柱は、該魂柱の長さが弛緩状態で弦楽器のバックプレートとトッププレートとの間の距離よりも大きく且つ力が両方のエンドピース（５，６）に対して及ぼされる圧縮状態で弦楽器のバックプレートとトッププレートとの間の距離よりも小さいように選択される所定の長さを有する、ステップと、
魂柱を弛緩状態で弦楽器のｆホールに挿通するステップと、
バックプレートとトッププレートとの間に所定の角度で魂柱を楔留めして弾性部材（４）を圧縮することによって弦楽器内の所定の位置に魂柱を取り付けるとともに、魂柱を弦楽器のバックプレートとトッププレートとの間に垂直に位置決めするステップと、
調整具をｆホール内に挿入するとともに、調整具を用いて張力締め付け要素を対向要素に対して回転させることによって魂柱の長さを固定するステップと、
を有する。
【００３４】
また、本発明は、魂柱用具セットを用いて魂柱を装着するための更なる方法を備え、該方法は、以下のステップ、すなわち、
魂柱を用意するステップであって、前記魂柱は、該魂柱の第１の管状部品及び第２の管状部品の全長が伸長状態で弦楽器のバックプレートとトッププレートとの間の距離よりも大きいように選択される所定の長さを有する、ステップと、
魂柱を弦楽器のｆホールに挿通するステップと、
魂柱を引き込み状態で直立にセットするとともに、魂柱用具セットの磁石のうちの１つを弦楽器のバックプレート及びトッププレートに沿って外側から貼り付けて移動させることによって弦楽器内の所定の位置に魂柱を仮取り付けするステップと、
仮位置決めされた魂柱が引き込み状態で重力に起因して弦楽器のバックプレートとトッププレートとの間で伸長されるように楽器を回転させるステップと、
第１の磁石の反対側で、伸長された魂柱の位置に合わせて、弦楽器のバックプレート上又はトッププレート上に外側から魂柱用具セットの第２の磁石を貼り付けるステップと、
弦楽器のバックプレート及びトッププレートに沿って外側から魂柱用具セットの両方の磁石を移動させることによって、伸長された魂柱を最終的に位置決めするステップと、
調整具をｆホール内に挿入するとともに、調整具を用いて張力締め付け要素を対向要素に対して回転させることによって魂柱の長さを固定するステップと、
を有する。
【００３５】
特定の実施形態及びこれらの実施形態の利点は、添付図面に関する詳細な説明により明らかになって容易に理解できるようになる。これらの図の同一の又は同様の要素は、同じ参照数字を用いて示される。図は、単に本発明の一実施形態の概略的な例示にすぎず、また、図示される構成要素の寸法は、異なる楽器における意図される用途に応じて特に変化することもできる。本発明は特定の例示された実施形態に限定されず、また、実際には、本発明の範囲は特許請求の範囲の主題によって決定される。
【図面の簡単な説明】
【００３６】
【図１】弾性部材を伴わない本発明に係る魂柱の第１の典型的な実施形態の長手方向断面を示す。
【図２】弾性部材を伴う本発明に係る魂柱の第２の典型的な実施形態の長手方向断面を示す。
【図３】魂柱用具セットの調整具の概略図を示す。
【考案を実施するための形態】
【００３７】
図に示される本発明に係る魂柱の実施形態は、弦楽器用の可変長の魂柱に関する。冒頭で例示されたように、本発明に係る魂柱は、例えば楽器の安定性及び音に有利に影響を及ぼすために、他の楽器、例えばギター、ツィター、又は、ハンマーダルシマー、或いは、同様の楽器において利用することもできる。
【００３８】
図１及び図２はそれぞれ、特にそれを弦楽器のために使用できるように、本発明に係る可変長の魂柱の一実施形態を示す。本発明に係る魂柱は、第１の端部及び第２の端部を有する第１の管状部品２と、第１の端部及び第２の端部を有する第２の管状部品３とから成り、この場合、一実施形態に係る第２の管状部品３は、第１の管状部品２内で弾性部材４の力に抗して第１の管状部品２の長手方向に移動できる。第１の回動可能なエンドピース５が第１の管状部品２の第１の端部に配置され、また、第２の回動可能なエンドピース６が第２の管状部品の第２の端部に配置される。第１及び第２のエンドピース５，６を回動させることにより、エンドピースの端面が弦楽器のトッププレート及びバックプレートの内面に完全に取り付けられるようにされる。第１及び第２のエンドピース５，６は回動可能に形成されるため、トッププレート又はバックプレートが湾曲され、したがってそれらのプレートの内面が平行でない場合であっても、これらのエンドピースを弦楽器のトッププレート及びバックプレートの内面に完全に取り付けることができる。第１の管状部品２内への第２の管状部品３の弾性的な組み込みに起因して、第１及び第２の回動可能なエンドピース５，６に作用する圧力によって魂柱の長さを短くすることができ、したがって、弦楽器内での魂柱の装着が容易になる。第１及び第２の回動可能なエンドピース５，６に作用する圧力が弦楽器の内側で解放されると、魂柱が伸長されて、魂柱の長さが増大するとともに、第１及び第２の回動可能なエンドピース５，６が下からの弾性部材４の力によって弦楽器のトッププレート及びバックプレートに押し付けられ、それにより、魂柱は、例えば弦楽器の内側の仮位置に装着されているときであっても倒れ得ない。本発明に係る魂柱が弦楽器内の適切な位置に配置されれば、本発明に係る魂柱は、固定状態を成す魂柱が固定長を有するとともにこの状態で弾性部材４の弾性力が作用しないように対向要素８に対して対向され得る張力締め付け要素７ａを備える。図１の実施形態において、張力締め付け要素７ａは、魂柱の長さを固定する目的で第２の管状部品３の第１の端部にある外側ねじ山を用いて第２の管状部品３に回転可能に接続されるとともに、回転によって第１の管状部品２の第２の端部に対して対向され得る。図１から明らかなように、この場合、第１の管状部品２の第２の端部の縁が対向要素８として作用する。第２の管状部品３の第１の端部にある外側ねじ山と張力締め付け要素７ａとを用いて、本発明に係る魂柱の長さを固定できる。この調整及び魂柱の長さの固定により、楽器の音及び安定性の両方を持続的に向上させることができる。これにより、外側ねじ山及びそれに対応して適合される張力締め付け要素７ａのネジは、規格化されたメトリックネジ、例えばＭ２〜Ｍ１０であってもよく、或いは、本発明に係る魂柱の長さを正確に調整できるように特別な細目ネジであってもよい。
【００３９】
図２の実施形態において、本発明に係る魂柱の長さは、第１の管状部品２の第２の端部に配置される外側ねじ山とこの外側ねじ山に回転可能に配置される対応する張力締め付け要素７ａとを用いて固定される。図２から明らかなように、図１の実施形態に係る張力締め付け要素７ａは、魂柱の長さを固定するために、第２の管状部品３の第２の端部に配置される対向要素８に対して対向される。
【００４０】
図１に示される実施形態において、可変長の魂柱１は弾性部材４を備えない。この実施形態において、第１の回動可能なエンドピース５及び第２の回動可能なエンドピース６は、少なくとも一部が磁化できる材料から形成され或いは磁石として形成される。それにより、魂柱１を楽器内に挿入するために、第２の管状部品３を第１の管状部品２内に押し込むことができ（引き込み状態）、また、楽器内に挿入されてしまった後、楽器の外側から１つ及び／又は２つの磁石を用いて第２の管状部品３を直立にセットできる。引き込み状態で魂柱１を直立にセットするとともに、魂柱を弦楽器内の所定位置に仮取り付けするために、魂柱用具セットの磁石を弦楽器のバックプレート上又はトッププレート上に外側から貼り付けてそれに対応して移動させることができる。一時的に位置された魂柱は、引き込み状態では、楽器を回転させることにより伸長され、それにより、第１の管状部品２及び第２の管状部品３は、重力に起因して引き離されて、弦楽器のバックプレートとトッププレートとの間で固定される。
【００４１】
更なる実施形態によれば、第１の回動可能なエンドピース５及び第２の回動可能なエンドピース６の少なくとも一部が磁化できる材料又は磁石から形成される実施形態においてさえ、弾性部材４を第１の管状部品２内に付加的に配置できる。
【００４２】
弾性部材４は、例えば、第１及び第２の管状部品がショックアブソーバとして作用するようにコイルスプリングなどのスプリング要素、空気圧スプリング、又は、一種のダンパーであってもよく、或いは、弾性部材をゴム、天然ゴムから形成することができ、或いは、弾性部材を発泡材料、例えば発泡体等から形成することができる。発泡材料は、コイルスプリングと比べて、例えば、それが楽器演奏時に振動を伝えず、したがって騒音を完全に抑制するという利点を有する。例えば、２つの反発し合う磁石を弾性部材として使用することもできる。先に開示されるように、また、図１及び図２から分かるように、弾性部材４は、第１の管状部品２内に配置されて、第２の管状部品３の第１の端部に結合される。これにより、それが必ずしも直接的な結合でなければならない必要はなく、弾性部材４と第２の管状部品の第１の端部との間に或いは弾性部材４と第１の管状部品の第１の端部との間に任意の中間部材を配置できることは明らかである。また、弾性部材４は、異なる弾性部材の組み合わせ、例えば発泡材料とコイルスプリングとの組み合わせから形成され得る。更なる実施形態において、弾性部材４は、第２の管状部品３の第１の端部に及び第１の管状部品２の第１の端部に、すなわち、両方の端部に結合され得る。これは、魂柱１がバックプレートとトッププレートとの間に楔留めされる前に魂柱１が挿入されるときに構成要素がばらばらになることを防止する。
【００４３】
本発明によれば、張力締め付け要素７ａは、外側ねじ山に沿って魂柱の長さを固定するために対向要素８に対して対向される。張力締め付け要素７ａの回転のため、張力締め付け要素７ａは、回転を可能にするように対応して形成される外面を備える。この外面は、例えば、刻み付きネジの場合のように単に粗面化され又はすり割りされ得る、或いは、対応して形成される調整具と共に回転されるように多角形断面を有することができる。この多角形断面は、例えば、正方形又は八角形であってもよく、或いは更には、例えば最小の可能な回転角度を可能にするべく、より多くのエッジを備えることができる。弦楽器のｆホールを通じて挿入される調整具１１を移動させるための空間が例えば非常に少ないため、同様に、多量のエッジを伴う張力締め付け要素を設けて、小さい回転角度を可能にすることが有益である。
【００４４】
対向要素８に対して張力締め付け要素を対向させるときに第１の管状部品又は第２の管状部品３をねじることを回避するため、本発明に係る魂柱は静止部材７ｂを備えることができる。図１に示されるように、第１の実施形態に係る魂柱は、例えば第２の管状部品３の第１の端部の多角形断面として或いは更には孔１０として、第２の管状部品３の第１の端部に前記静止部材を備えることができる。図２に係る実施形態において、静止部材は、第１の管状部品２の外側に配置され得る。静止部材７ｂを配置するために、静止部材の位置を調整具によりそれに達することができるように決定することが有益である。それは、弦楽器のｆホールを通じて調整具により静止部材が容易に接近できるように静止部材７ｂが管状部品に沿って配置されることを意味する。
【００４５】
木材、プラスチック、繊維強化プラスチック、好ましくは炭素繊維強化プラスチック、或いは、例えば、アルミニウム、マグネシウム、又は、合金などの金属、或いは、その組み合わせが、本発明に係る魂柱の第１及び第２の管状部品並びに回動可能なエンドピースのうちの１つ以上のための材料として使用され得る。張力締め付け要素７ａ及び／又は静止部材７ｂを例えば金属又はプラスチックの第１及び第２の管状部品以外の材料から形成することもできる。１つの実施形態によれば、第１の回動可能なエンドピース５及び第２の回動可能なエンドピース６の少なくとも一部が磁化できる材料から又は磁石として形成される。この目的のため、更なる実施形態によれば、第１の回動可能なエンドピース５及び第２の回動可能なエンドピース６の少なくとも一部を磁性材料でコーティングすることができる。
【００４６】
弦楽器内での魂柱の位置決めを容易にするために、又は、静止部材７ｂの機能において、第２の管状部品３は、第２のエンドピース６と第２の管状部品の第１の端部との間に管状部品３の長手方向軸に対して横切るように配置される連続孔１０を備えることができる。本発明に係る魂柱を挿入するために、弦楽器の１つのｆホールから他のｆホール内へと糸を通すことができ、また、連続孔１０を通り抜けるこの糸に魂柱を取り付けることができる。本発明に係る魂柱１は、この糸に取り付けられると、その後、魂柱が楽器内で倒れることも連続孔が防止できるように弦楽器内の所望の位置へと案内され得る。
【００４７】
本発明に係る魂柱の第１及び第２の回動可能なエンドピース５，６はそれぞれ部分的球状部５ａ，６ａと平坦端面５ｂ，６ｂとを備えることができ、また、第１の管状部品２及び第２の管状部品３の対応する端部はそれぞれ、対応するエンドピース５，６のそれぞれの部分的球状部を受けるための部分的球状凹部を備えることができる。エンドピースの球状部と第１及第２の管状部品の対応する側の凹部とが部分的に球形状を成して実施されるという事実に起因して、大きい回動範囲を実現でき、それにより、楽器の内側の曲率に適合して、それぞれのエンドピース５，６の平坦端面５ｂ，６ｂを弦楽器の内側の対応するバックプレート又はトッププレートに対してぴったり合わせるようにすることができる。エンドピース５，６が第１及第２の管状部品２，３の対応する端部から脱落するのを防止するために、第１及第２の管状部品の対応する端部の対応する縁部は、それがエンドピース５，６の部分的球状部５ａ，６ａを部分的に取り囲むように形成することができ、それにより、クリップ固定は、本発明に係る魂柱を組み付けるときに部分的球状部が抜け出すことを防止できる。
【００４８】
例えば、第１及び第２のエンドピース５，６は、例えばトッププレート上及び／又はバックプレート上に外部から貼り付けられる磁石を用いて外側から位置決めされ得るように磁気的に形成することもできる。第１及び第２のエンドピースが磁気的に形成されるという事実は、セットされた魂柱の位置を弦楽器の外側にある平坦な検出器によって容易に表示できるという点において更なる利点を有する。
【００４９】
図３は、可変長の魂柱を弦楽器のトッププレートとバックプレートとの間に装着するための本発明に係る魂柱用具セットの調整具１１の一実施形態を示す。調整具１１は、フォーク状部１２、シャフト１３、及び、保持部１４を備える。これにより、シャフト１３は、弓形状を成すことができるとともに、弦楽器の所定のｆホールと魂柱１のために予め決定された弦楽器バックプレートにおける位置との間の距離の長さに少なくとも対応する長さを有することができる。フォーク状部１２は、それが張力締め付け要素７ａ及び／又は静止部材７ｂを完全に取り囲んでこれらを対応して回転させる又は保持することができるように形成され得る。
【００５０】
魂柱を正確に位置決めしてその位置を補正するために、バイオリン製造で使用される「サウンドポストセッター」を使用することもできる。
【００５１】
魂柱を正確に位置決めしてその位置を補正するために、一実施形態に係る魂柱用具セットは、魂柱（１）を直立にセットする及び／又は位置決めするために、弦楽器のバックプレート及びトッププレートにそれぞれ沿って外側からそれぞれ移動されるのに適した２つの磁石を更に備えることができる。
【００５２】
一実施形態によれば、本発明に係る魂柱用具セットを用いて本発明に係る魂柱を装着することは、魂柱の長さが弛緩状態で弦楽器のバックプレートとトッププレートとの間の距離よりも大きく且つ力が両方のエンドピース（５，６）に対して及ぼされる圧縮状態で弦楽器のバックプレートとトッププレートとの間の距離よりも小さいように選択される所定の長さを有する魂柱を用意するステップを備える。弛緩された魂柱を弦楽器のｆホールに挿通して、弦楽器のバックプレートとトッププレートとの間に所定の角度で魂柱を一時的に楔留めすることにより、また、弾性部材（４）を圧縮して、魂柱をバックプレートとトッププレートとの間に垂直に位置させることにより、弦楽器内の所定の位置に魂柱を位置決めできる。必要に応じて、弾性部材４のスプリング力によりバックプレートとトッププレートとの間に楔留めされて前述したように位置される魂柱は、サウンドポストセッター又は調整具１１を用いてその位置が更に補正され得る。ここでは、特に、スプリング力のおかげにより一時的に装着される魂柱であっても倒れることができないのが有益である。魂柱１が正確な位置にセットされると、調整具１１をｆホール内に挿入するとともに、調整具１１を用いて張力締め付け要素７ａを対向要素８に対して回転させる（対向させる）ことによって魂柱１の長さを固定する。第１又は第２の管状部品をねじることを回避するため、例えば第２の調整具１１を弦楽器の第２のｆホールに挿通することもでき、また、静止部材７ｂを所定位置に強固に保持できる。
【００５３】
更なる実施形態によれば、本発明に係る魂柱用具セットを用いて本発明に係る魂柱を装着することは、魂柱１の第１の管状部品２及び第２の管状部品３の全長が伸長状態で弦楽器のバックプレートとトッププレートとの間の距離よりも大きいように選択される所定の長さを有する魂柱を用意すること、及び、魂柱１を弦楽器のｆホールに挿通することを含む。引き込まれた魂柱１は、直立にセットされるとともに、魂柱用具セットの磁石のうちの１つを弦楽器のバックプレート及びトッププレートに沿って外側から貼り付けて移動させることによって弦楽器内の所定の位置に仮取り付けされる。楽器を回転させることにより、仮位置決めされた魂柱は、引き込み状態において、重力に起因して弦楽器のバックプレートとトッププレートとの間で伸長される。また、方法は、第１の磁石の反対側で、伸長された魂柱の位置に合わせて、弦楽器のバックプレート上又はトッププレート上に外側から魂柱用具セットの第２の磁石を貼り付けるとともに、弦楽器のバックプレート及びトッププレートに沿って外側から魂柱用具セットの両方の磁石を移動させることによって、伸長された魂柱を最終的に位置決めすることも含む。調整具１１をｆホール内に挿入することにより、調整具１１を用いて張力締め付け要素７ａを対向要素８に対して回転させることによって魂柱１の長さを固定できる。固定された魂柱の位置及び／又は長さを変えるためには（例えば、冬の乾燥した加熱空気などに起因して温度及び／又は空気湿度が恒久的に変化する場合）、磁石を楽器の両側で魂柱の位置において外側から貼り付けるだけで済む。このとき、これらの磁石は、張力締め付け要素７ａが緩められた場合であっても、魂柱をその位置で伸長状態に保ち、それにより、伸長されるが緩められた魂柱の位置をその後に磁石を移動させることによって楽器の外側から補正することができる、及び／又は、張力締め付け要素７ａを回転させることによって魂柱の長さを変えることができる。
【００５４】
特に有利な実施形態によれば、張力締め付け要素７ａに対する対向要素のねじれの位置をマークするために対向要素８を標示付けできる。標示付けの特に単純な形態は、例えば「中立」、すなわち、最も低い張力を伴う位置、又は、「最適」位置をマークするために色のスポットで対向要素及び張力締め付け要素７ａに印を付けることであってもよい。このため、例えば、異なる色、例えば冬における最適な設定のための白色ドット及び夏用の赤色ドットを使用できる。しかしながら、標示付けタイプは色に限定されず、例えば、マーキングのために異なる長さのラインを使用することもできる。
【００５５】
本発明に係る魂柱の可変長のおかげにより、特に長さを固定する簡単なプロセスのおかげにより、例えば夏と冬との間などで室温が変化する場合でも、魂柱、特にその長さを容易に調整することができ、それにより、全ての季節において或いは任意の湿度レベルで楽器の最良な音質を達成できる。楽器内の正確な位置がセットされてしまうと直ぐに、魂柱はこの位置にとどまることができ、また、例えば、調整具１１を用いるだけで魂柱の長さを最適化できる。
【００５６】
本発明は特定の例示された実施形態に限定されず、また、実際には、本発明の範囲は特許請求の範囲の主題によって決定される。
【図１】
0003210571.tif 000003
【図２】
0003210571.tif 000004
【図３】
0003210571.tif 000005
【手続補正書】
【提出日】平成29年3月27日(2017.3.27)
【手続補正１】
【補正対象書類名】実用新案登録請求の範囲
【補正対象項目名】全文
【補正方法】変更
【補正の内容】
【実用新案登録請求の範囲】
【請求項１】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、
第１の回動可能なエンドピース（５）が前記第１の管状部品（２）の前記第１の端部に配置され、前記第１の管状部品（２）の前記第２の端部が対向要素（８）としての機能を果たし、
前記第２の管状部品（３）の前記第１の端部は、張力締め付け要素（７ａ）が回転可能に配置されるとともに前記対向要素（８）に対して回転により対向されるのに適した外側ねじ山を備え、第２の回動可能なエンドピース（６）が前記第２の管状部品（３）の前記第２の端部に配置され、
前記第１の回動可能なエンドピース（５）及び前記第２の回動可能なエンドピース（６）は、少なくとも一部が磁化できる材料から又は磁石として形成される、
可変長の魂柱（１）。
【請求項２】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、
第１の回動可能なエンドピース（５）が前記第１の管状部品（２）の前記第１の端部に配置され、前記第１の管状部品（２）の前記第２の端部は、張力締め付け要素（７ａ）が回転可能に配置される外側ねじ山を備え、
第２の回動可能なエンドピース（６）を伴う対向要素（８）が前記第２の管状部品（３）の前記第２の端部に配置され、
前記第１の回動可能なエンドピース（５）及び前記第２の回動可能なエンドピース（６）は、少なくとも一部が磁化できる材料から又は磁石として形成される、
可変長の魂柱（１）。
【請求項３】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、前記第２の管状部品（３）の前記第１の端部に結合される弾性部材（４）が前記第１の管状部品（２）内に配置され、
第１の回動可能なエンドピース（５）が前記第１の管状部品（２）の前記第１の端部に配置され、前記第１の管状部品（２）の前記第２の端部が対向要素（８）としての機能を果たし、
前記第２の管状部品（３）の前記第１の端部は、張力締め付け要素（７ａ）が回転可能に配置されるとともに前記対向要素（８）に対して回転により対向されるのに適した外側ねじ山を備え、第２の回動可能なエンドピース（６）が前記第２の管状部品（３）の前記第２の端部に配置される、
可変長の魂柱（１）。
【請求項４】
第１の端部及び第２の端部を有する第１の管状部品（２）と、
第１の端部及び第２の端部を有する第２の管状部品（３）と、
を備え、
前記第２の管状部品（３）は、少なくとも一部が前記第１の管状部品（２）内に移動可能な態様で配置され、前記第２の管状部品（３）の前記第１の端部に結合される弾性部材（４）が前記第１の管状部品（２）内に配置され、
第１の回動可能なエンドピース（５）が前記第１の管状部品（２）の前記第１の端部に配置され、前記第１の管状部品（２）の前記第２の端部は、張力締め付け要素（７ａ）が回転可能に配置される外側ねじ山を備え、
第２の回動可能なエンドピース（６）を伴う対向要素（８）が前記第２の管状部品（３）の前記第２の端部に配置される、
可変長の魂柱（１）。
【請求項５】
前記第１の管状部品（２）がその外側に静止部材（７ｂ）を備える請求項２又は請求項４に記載の魂柱（１）。
【請求項６】
前記第２の管状部品（３）がその前記第２の端部に静止部材（７ｂ）を備える請求項１又は請求項３に記載の魂柱（１）。
【請求項７】
前記第２の管状部品（３）の前記第１の端部に結合される弾性部材（４）が前記第１の管状部品（２）内に配置される請求項１，２，５又は６に記載の魂柱（１）。
【請求項８】
前記第１及び第２の管状部品（２，３）並びに前記第１及び第２の回動可能なエンドピース（５，６）のうちの１つ以上が木材から形成される請求項１から７のいずれか一項に記載の魂柱（１）。
【請求項９】
前記第１及び第２の管状部品（２，３）並びに前記第１及び第２の回動可能なエンドピース（５，６）のうちの１つ以上がプラスチックから形成される請求項１から７のいずれか一項に記載の魂柱（１）。
【請求項１０】
前記第１及び第２の管状部品（２，３）並びに前記第１及び第２の回動可能なエンドピース（５，６）のうちの１つ以上が繊維強化プラスチックから形成される請求項１から７のいずれか一項に記載の魂柱（１）。
【請求項１１】
前記第１の回動可能なエンドピース（５）及び前記第２の回動可能なエンドピース（６）には少なくとも部分的に磁性材料がコーティングされる請求項１から１０のいずれか一項に記載の魂柱（１）。
【請求項１２】
前記第２の管状部品（３）は、前記第２の回動可能なエンドピース（６）と前記第２の管状部品の前記第１の端部との間に前記第２の管状部品（３）の長手方向軸に対して横切るように配置される連続孔（１０）を備えることができる請求項１から１１のいずれか一項に記載の魂柱（１）。
【請求項１３】
前記弾性部材（４）は、スプリング及び／又は発泡材料であり、且つ／又は、２つの反発し合う磁石から成る請求項３，４又は７に記載の魂柱（１）。
【請求項１４】
前記張力締め付け要素（７ａ）及び前記静止部材（７ｂ）のうちの少なくとも一方が金属又はプラスチックから成る請求項５又は６に記載の魂柱（１）。
【請求項１５】
前記張力締め付け要素（７ａ）及び前記静止部材（７ｂ）のうちの少なくとも一方が多角形断面を有する請求項５又は６に記載の魂柱（１）。
【請求項１６】
前記第１の管状部品（２）及び前記第２の管状部品（３）が略円筒状である請求項１から１５のいずれか一項に記載の魂柱（１）。
【請求項１７】
前記第１及び第２の回動可能なエンドピース（５，６）のそれぞれが部分的球状部（５ａ，６ａ）と平坦端面（５ｂ，６ｂ）とを備え、前記第１の管状部品（２）は前記第１の端部に、前記第２の管状部品（３）は前記第２の端部にそれぞれ部分的球状凹部を備え、該部分的球状凹部内にそれぞれの前記部分的球状部（５ａ，６ａ）が受けられる請求項１から１６のいずれか一項に記載の魂柱（１）。
【請求項１８】
可変長の魂柱（１）を弦楽器のトッププレートとバックプレートとの間に装着するための魂柱用具セットであって、
請求項１から１７のいずれか一項に記載の魂柱（１）と、
フォーク状部（１２）、シャフト（１３）、及び、保持部（１４）を備える少なくとも１つの調整具（１１）であって、前記シャフト（１３）が、弓形状であるとともに、弦楽器の所定のｆホールと前記魂柱（１）のために予め決定された弦楽器バックプレートにおける位置との間の距離の長さに少なくとも対応する長さを有する、少なくとも１つの調整具（１１）と、
を備える魂柱用具セット。
【請求項１９】
魂柱（１）を直立にセットする及び／又は位置決めするために、弦楽器の前記バックプレート及び前記トッププレートそれぞれに沿って外側からそれぞれ移動されるのに適した２つの磁石を更に備える請求項１８に記載の魂柱用具セット。